(57)【要約】      （修正有）【課題】機械と電動措置の迅速研磨を利用し、操作経験が不要で、簡単に使え、スムーズに移動できるスチールパイプ研磨機を提供する。【解決手段】スチール研磨機は、上ボディーフレーム１、下ボディーフレーム１０及び上下フレームの間に設置された支柱９を含み、上ボディーフレームの中に第一フィードスクリュー４とガイドバー２１が設けられ、第一フィードスクリューに第一移動ブロック２が繋げられ、第一移動ブロックのトップとガイドバーが滑り嵌め接続され、ガイドバーに移動オーバートラベル防止用接触センサー２２が設置される。スクリューの右側にパッシブラウンド８があり、パッシブラウンドの上に駆動輪６がある。駆動輪とパッシブラウンドの間にベルト７があり、駆動輪と第一駆動モーター５が繋がる。第一駆動モーターは上ボディーフレームに固定され、第一移動ブロックの底部に摩擦ブロックが繋がり、摩擦ブロックの前端面に摩擦ワッシャー１８が固定される。【選択図】図１
0003201451.tif 000002
【実用新案登録請求の範囲】
【請求項１】
スチールパイプ研磨機において、上ボディーフレーム（１）、下ボディーフレーム（１０）及び上ボディーフレーム（１）と下ボディーフレーム（１０）の間に設けられた支え柱（９）を含み、その上ボディーフレーム（１）の中に第一フィードスクリュー（４）とガイドバー（21）が設けられ、その第一フィードスクリュー（４）とネジによって繋がった第一移動ブロック（２）があり、その第一移動ブロック（2）とそのガイドバー（21）は接続され、そのガイドバー（21）に移動オーバートラベル防止用接触センサー（22）が設けられ、第一フィードスクリュー（４）の右側にパッシブラウンド（８）があり、そのパッシブラウンド（８）の上に駆動輪（６）があり、その駆動輪（６）とパッシブラウンド（８）の間にはベルト（７）があり、その駆動輪（６）と第一駆動モーター（５）は繋がり、その第一駆動モーター（５）と上ボディーフレーム（１）とは連結され、第一移動ブロック（２）の底部は摩擦ブロック（３）と繋がり、摩擦ブロック（３）の端面には摩擦ワッシャー（１８）が固定され、その下ボディーフレーム（１０）の真ん中にキャビティー（１９）があり、キャビティー（１９）の内部には第二フィードスクリュー（１４）と第三フィードスクリュー（１３）があり、第二フィードスクリュー（１４）と第三フィードスクリュー（１３）はネジによってそれぞれ第二移動ブロック（１１）と繋がり、その第二移動ブロック（１１）上にはブラケット（１５）があり、ブラケット（１５）上には第二駆動モーター（１７）があり、第二駆動モーター（１７）にはクランプ（20）がそれぞれ取り付けられ、２つのクランプ（20）の間にはスチールパイプ（12）が設けられ、そのスチールパイプ（12）と摩擦ワッシャー（18）は繋がり、下ボディーフレーム（１０）の左側には第三駆動モーター（16）があり、その摩擦ブロック（3）の底部がキャビティー（１９）に嵌め込まれることを特徴とするスチールパイプ研磨機。
【請求項２】
請求項１に記載のスチールパイプ研磨機において、第二フィードスクリュー（14）と第三フィードスクリュー（13）のネジの方向が反対であることを特徴とするスチールパイプ研磨機。
【請求項３】
請求項１に記載のスチールパイプ研磨機において、摩擦ワッシャー（１８）は「C」型形状であることを特徴とするスチールパイプ研磨機。
【請求項４】
請求項１に記載のスチールパイプ研磨機において、その第一フィードスクリュー（４）とガイドバー（21）は平行に設けられたことを特徴とするスチールパイプ研磨機。
【考案の詳細な説明】
【技術分野】
【０００１】
本実用新型はスチールパイプ加工分野に及び、特に新型高率加工チールパイプ研磨機に関する。
【背景技術】
【０００２】
スチールパイプは現代工業生産の中重要な役割を担い、液体と粉状固体、熱交換、機械部品と容器を製造することに運用するだけでなく、エコスチール材でもある。スチールパイプで建築構造フレーム、支柱と機械スタンドを作り、重量を削減でき、金属を20 〜 40％節約できる、それに、工場化機械化施工も実現できる。
【０００３】
スチールの未加工品は生産する前避けがたく空気中の水分で蝕まれ錆が出る。この錆びが加工過程に取りし難しいから、完成品のスチールパイプはやはり錆び取ることが必要、現有の技術では、作業者は一般に手で切断機を持って、アブレシブディスクを加えて錆とって研磨する。この工具の操作は作業者に一定の経験を要求し、一旦、研磨し過ぎたら、スチールの表面が損傷され、凸凹になり、無駄遣い、また、研磨の程度は甘いなら、錆がちゃんと取れない、加工は困難になる。
【考案の概要】
【考案が解決しようとする課題】
【０００４】
本実用新型解決する必要な問題は機械と電動措置迅速研磨の利用、操作経験必要なし、簡単に使えるスムーズに移動できるスチールパイプ研磨機を提供する。
【課題を解決するための手段】
【０００５】
本実用新型は以下の技術方策で実現された：一種の新型高率スチールパイプ研磨機は、上ボディーフレーム、下ボディーフレーム及び上ボディーフレームと下ボディーフレームの間に設計された支え柱を含め、その上ボディーフレームの中に第一フィードスクリューとガイドバーを設けてあり、その第一フィードスクリューの上その第一フィードスクリューネジと合わせて繋がった第一移動ブロックがあり、その第一移動ブロックのトップとそのガイドバーと滑り嵌め接続で、そのガイドバーに移動オーバートラベル防止用接触センサーを設置してある、第一フィードスクリューの右側にパッシブラウンドがあり、そのパッシブラウンドの上に駆動輪がある。その駆動輪とパッシブラウンドの間ベルトがあり、その駆動輪と第一駆動モーター繋がる。その第一駆動モーターと上ボディーフレームと連結、第一移動ブロックの底部に摩擦ブロックと繋がり、摩擦ブロック前端面に摩擦ワッシャーが固定される。その下ボディーフレームの真ん中にキャビティーがあり、キャビティーの内部第二フィードスクリューと第三フィードスクリューがあり、第二フィードスクリューと第三フィードスクリューの上はネジと合わせた第二移動ブロックと繋がり、その第二移動ブロックのトップにブラケットがあり、ブラケットのトップに第二駆動モーターがあり、第二駆動モーターの向こう側にクランプがあり、クランプの間スチールパイプを設置し、そのスチールパイプと摩擦ワッシャーと繋がり、下ボディーフレームの左側に第三駆動モーターがあり、その摩擦ブロックの底部がキャビティーに嵌め込まれる。
【０００６】
より一層技術方策、前述した第二フィードスクリューと第三フィードスクリューのネジの方向が反対である。
【０００７】
より一層技術方策、摩擦ワッシャーは「C」型である。
【０００８】
より一層技術方策、その第一フィードスクリューとガイドバーは平行で設置される。
【考案の効果】
【０００９】
本実用新型の有益な効果：本実用新型の構造は簡単で、使用し易い、機械と電動措置の急速な磨き上げ機能を利用し、作業者の経験にあまり要求がない、操作が簡単で、時間を節約し、加工効率も上げる。
【図面の簡単な説明】
【００１０】
【図１】本実用新型高率スチールパイプ研磨機の構造の見取り図。
【図２】本実用新型の摩擦ブロック構造の見取り図。
【考案を実施するための形態】
【００１１】
図面１−図面２に示された通り、本実用新型高率スチールパイプ研磨機は上ボディーフレーム１、下ボディーフレーム10及び上ボディーフレーム１と下ボディーフレーム10の間に設計された支え柱９を含め、その上ボディーフレーム１の中に第一フィードスクリュー４とガイドバー21を設けてあり、その第一フィードスクリュー4の上その第一フィードスクリュー4ネジと合わせて繋がった第一移動ブロック２があり、その第一移動ブロック2のトップとそのガイドバー21と滑り嵌め接続で、そのガイドバー21に移動オーバートラベル防止用接触センサー22を設置してある、第一フィードスクリュー４の右側にパッシブラウンド８があり、そのパッシブラウンド8の上に駆動輪6がある。その駆動輪6とパッシブラウンド8の間ベルト7があり、その駆動輪6と第一駆動モーター5繋がる。その第一駆動モーター5と上ボディーフレーム1と連結、第一移動ブロック2の底部に摩擦ブロック3と繋がり、摩擦ブロック3前端面に摩擦ワッシャー18が固定される。その下ボディーフレーム10の真ん中にキャビティー19があり、キャビティー19の内部第二フィードスクリュー14と第三フィードスクリュー13があり、第二フィードスクリュー14と第三フィードスクリュー13の上はネジと合わせた第二移動ブロック11と繋がり、その第二移動ブロック11のトップにブラケット15があり、ブラケット15のトップに第二駆動モーター17があり、第二駆動モーター17の向こう側にクランプ20があり、クランプ20の間スチールパイプ12を設置し、そのスチールパイプ12と摩擦ワッシャー18と繋がり、下ボディーフレーム10の左側に第三駆動モーター16があり、その摩擦ブロック3の底部がキャビティー19に嵌め込まれる。
【００１２】
その中、前述した第二フィードスクリュー14と第三フィードスクリュー13のネジの方向が反対で、摩擦ワッシャー１８は「C」型である。その第一フィードスクリュー４とガイドバー21は平行で設置される。
【００１３】
本実用新型の有益な効果：本実用新型の構造は簡単で、使用し易い、機械と電動措置の急速な磨き上げ機能を利用し、作業者の経験にあまり要求がない、操作が簡単で、時間を節約し、加工効率も上げる。
【００１４】
以上はただ本実用新型の具代的な実施方法であるが、本実用新型の保護範囲はこれだけではない、あらゆる創造性付きな労働でない想像できた変化と取替えは、皆本実用新型の保護範囲以内に属するべきである。だから、本実用新型の保護範囲は権利要求書が限定した保護範囲を基準にするべきである。
【符号の説明】
【００１５】
１  上ボディーフレーム
２  第一移動ブロック
４  第一フィードスクリュー
９  支え柱
10  下ボディーフレーム
21  ガイドバー
【図１】
0003201451.tif 000003
【図２】
0003201451.tif 000004